(57)【特許請求の範囲】
【請求項１】
自動車の車体のドアー、トランク及びウインド等の車体開口部に用いるトリム、ウエザーストリップ、ウインドモールディング等の合成樹脂芯材を有する自動車用モールディングにおいて、成形品本体（１）は、ポリプロピレン樹脂にタルクの粉体を混合した硬質合成樹脂からなる断面略Ｕ字条の合成樹脂芯材（２）とオレフィン系熱可塑性エラストマーからなる被覆体（３）によって長手方向に成形され、該合成樹脂芯材（２）には、切除部（８）（８）を同一間隔または不揃いの間隔の間隔部（１３）（１３）に打ち抜き形成し、該被覆体（３）は該合成樹脂芯材（２）の外周と内周の一部を熱融着し、該合成樹脂芯材（２）の一方の下端部（４）または内面部（１４）より下方に延長した内周押込部（５）の外周に数個の圧接用の保持片（６）（６）を一体的に形成したことを特徴とする合成樹脂芯材を有する自動車用モールディング。
【請求項２】
請求項１の該合成樹脂芯材（２）の下端の内周に熱融着した内周被覆体（２７）には、単数又は複数の保持片（６）を一体的に形成したことを特徴とする請求項１の合成樹脂芯材を有する自動車用モールディング。
【請求項３】
自動車の車体のドアー、トランク及びウインド等の車体開口部に用いるトリム、ウエザーストリップ、ウインドモールディング等の合成樹脂芯材を有する自動車用モールディングの製造方法であって、該製造方法は、ポリプロピレン樹脂にタルクの粉体を混合した硬質合成樹脂を注入した第１押出し成形機（１６）より第１金型ダイス（１７）の内部を通過中に成形された断面略Ｕ字条の合成樹脂芯材（２）は、冷却槽（１８）を通過後、打ち抜き機（１９）によって切除部（８）（８）を同一間隔または不揃いの間隔の間隔部（１３）（１３）に打ち抜き形成され、その後、切除部付の合成樹脂芯材（２）は第２金型ダイス（２１）に進入し、第２押出し成形機（２０）に注入されたオレフィン系熱可塑性エラストマーによって断面略Ｕ字条の合成樹脂芯材（２）の外周と内周の一部に被覆体（３）を熱融着し、該合成樹脂芯材（２）の一方の下端部（４）または内面部（１４）より延長した内周押込部（５）に数個の圧接用の保持片（６）（６）を一体的に押出し成形させることを特徴とする請求項１に記載の合成樹脂芯材を有する自動車用モールディングの製造方法。
【請求項４】
請求項３の合成樹脂芯材（２）の下端の内周に熱融着した内周被覆体（２７）に単数または複数の保持片（６）を一体的に押出し成形させたことを特徴とする合成樹脂芯材を有する自動車用モールディングの製造方法。
【発明の詳細な説明】
【０００１】
【産業上の利用分野】
本発明は、自動車のドアー、トランク、ウインド等における車体開口部に使用するトリム、ウエザーストリップ、ウインドモールディング等の開口部の保持部のために使用する合成樹脂芯材を有する自動車用モールディング又はその製造方法に関するものである。
【０００２】
【従来の技術】
従来、この種の自動車の車体の各開口部に用いるトリム、ウエザーストリップ、ウインドモールディング等は、芯体として金属製芯材を使用するのが一般的な現状である。
【０００３】
そして、その製造方法としての該金属製芯材は、断面が平板の状態で各種形状の切除部が打ち抜きされ、その切除部付の平板芯材を押出し成形によって合成樹脂又はゴム等の材料によって芯材の表裏に被覆層及び保持片を形成し、その後、断面略Ｕ字条に折り曲げ加工されて製造されているものである。
【０００４】
しかし、近年の環境問題の高まりから、金属製芯材を軽量化、リサイクル化するために、硬質合成樹脂に材料変更されることが要望されている現状である。
しかしながら、硬質合成樹脂製芯材を金属製芯材と同様に平板から製造すると、断面略Ｕ字条に折り曲げることが非常に困難であったため、予め断面略Ｕ字条の合成樹脂芯材を押出し成形し、打ち抜き機によって多数の切除部を形成し、切除部付の合成樹脂芯材を形成する。その後、押出し成形によって該断面略Ｕ字条の合成樹脂芯材の外周に被覆体を被着し、内面側に自動車の車体開口部のフランジを保持するための圧接用の相対応する複数の保持片を形成するものである。
【０００５】
しかし、自動車の車体開口部のフランジとの保持性を向上させるために、この相対する保持片間を確実に狭くする必要があり、断面略Ｕ字条の内周面に所望する形状、隙間部の保持片間を確実に狭く押出し成形することが技術的に非常に困難であるという重大な問題点があった。
【０００６】
【発明が解決しよとうする課題】
本発明は、上記の問題点を解決するために発明したもので、従来の断面略Ｕ字条の合成樹脂芯材の内周面に突起して相対する保持部の隙間部を狭くすることが非常に困難なため、本発明は、予め断面略Ｕ字条の合成樹脂芯材の内側に一体的に成形することなく、図１のように断面略Ｕ字条の先端部より被覆体を延長して各種形状の内周押込部を形成し、且つ内周押込部の外側に予め保持片を形成し、内周押込部を断面略Ｕ字条の内面に向かって、図２に示すように押込みして完成するようにしたものである。
【０００７】
【課題を解決するための手段】
上記目的を達成するために、本発明の合成樹脂芯材を有する自動車用モールディングにおいては、成形品本体を合成樹脂芯材と被覆体とで長手方向に成形する。この合成樹脂芯材には、各種形状の切除部を同一間隔または不揃いの間隔に間隔部を形成する。また、該被覆体は、オレフィン系熱可塑性エラストマーを使用し、且つ合成樹脂芯材の断面略Ｕ字条の外周と内周の一部を熱融着するものである。さらに、合成樹脂芯材のＵ字形の片側の下端部または内面部より延長した保持片を有する内周押込部を形成するものである。さらに、該内周押込部が押込された相対向する内周面の一部に保持片を一体的に対設してある。また該合成樹脂芯材は、必要に応じて所定の部分のみを肉厚に変形すること等を特徴としている。
【０００８】
【作用】
以上のように構成されている合成樹脂芯材を有する自動車用モールディングの用法を説明すると、図１、図６に示す成形品本体（１）を自動車の車体のドアー、トランク、ウインド等の開口部のトリム、ウエザーストリップ、ウインドモールディング等に使用する時に、該成形品本体（１）の合成樹脂芯材（２）の断面略Ｕ字条の外周を熱融着する被覆体（３）の一部に成形した内周押込部（５）を該合成樹脂芯材（２）の内側に図２、図７に示す如く、該内周押込部（５）を押し込みする。この時に該内周押込部（５）の外周に設けた所定位置及び所定数の圧接用の保持片（６）（６）の間に狭い隙間部（Ａ）を構成する。この該隙間部（Ａ）に対してドアー、トランク、ウインド等の開口部の端縁を挿着挟持することによって取着するものである。
【０００９】
【実施例】
次に、本発明の実施例を図面について説明すると、図１に示す成形品本体（１）は、自動車用のドアー、トランク及びウインド等の車体の開口部に図２の状態で圧接用の保持片（６）（６）の狭い隙間部（Ａ）にフランジを挿着して使用するものである。図に示す各断面図のものは、該成形品本体（１）を断面略Ｕ字条の長手方向の合成樹脂芯材（２）と、長手方向の被覆体（３）とより構成されている。
【００１０】
図１に示す該成形品本体（１）における合成樹脂芯材（２）は、図３、図４、図５に示す如く硬質合成樹脂からなる断面略Ｕ字条であって、必要に応じて各種形状の側部の切除部（８）（８）又は上部の切除部（７）（７）と側部の切除部（８）（８）を連接部（１０）（１０）及び連接部（１１）（１１）等を介して同一間隔または不揃いの間隔に間隔部（１３）（１３）を連続又は不連続に打ち抜き形成してある。符号（１４）は、合成樹脂芯材（２）の下端の内側の内面部を示すものである。
【００１１】
次に、図１における該合成樹脂芯材（２）の断面略Ｕ字条の外周と内周の一部を熱融着する該被覆体（３）は、オレフィン系熱可塑性エラストマーから構成されている。
該被覆体（３）には、該合成樹脂芯材（２）の開口部の先端の端部（４）（４）から延長した内周押込部（５）を一体に形成し、該内周押込部（５）の外側に突起する単数または複数の保持片（６）（６）が形成されている。この時に端部（４）（４）は強固に熱融着していることが好ましい。
更に、図２に示すものは、図１で示した内周押込部（５）を車体の各所に取り付ける際に合成樹脂芯材（２）の内部に該内周押込部（５）を押し込んだ状態を示すものである。この時の該保持片（６）（６）は、所定形状に確実に形成され車体の開口部のフランジ等を両端より確実に押圧して保持する役目を充分に達成するものである。符号（１２）は、空間部を示すものであるが、実際には内部が接触状態で空間が無い場合もある。
【００１２】
次に図１に示すものは、請求項１に示す実施例を示すもので、断面略Ｕ字条の合成樹脂芯材（２）の一方のみの片側の下端部（４）又は内面部（１４）より延長する内周押込部（５）に数個の圧接用の保持片（６）（６）を形成した状態で押出し成形した断面を示したものである。また、合成樹脂芯材（２）の他方の下端に被覆体（３）の一部が内周被覆体（２７）として熱融着される場合もある。
図２に示すものは、図１に示した状態のものを車体の各開口部に取り付け使用する時の状態を示したものであって、空間部（１２）が形成されると共に、位置の異なる保持片（６）（６）との間を狭い隙間部（Ａ）が当然に形成されるものである。
【００１３】
次に図６に示すものは、請求項２の実施例を示すもので、断面略Ｕ字条の合成樹脂芯材（２）の一方の片側の下端部（４）又は内面部（１４）より延長する内周押込部（５）に単数又は複数の保持片（６）（６）を形成し、他方の該合成樹脂芯材（２）の下端に熱融着した内周被覆体（２７）の一部に単数又は複数の保持片（６）（６）を一体的に形成してある。また、保持片（６）（６）は所望に応じて大きさが異なる場合もある。
図７に示すものは、図６に示した成形品本体（１）の該内周押込部（５）を押し込みしたものである。この場合は、相対する大きさの異なる該保持片（６）（６）との間に従来技術では成形できない狭い隙間部（Ａ）が当然に形成されるものである。
【００１４】
次に、図８は、従来の技術によって成形された成形品本体（１）を示し、相対する保持片（６）、保持片（６）との隙間部が広い隙間部（Ｂ）となり、車体パネル（２８）の挿入されるフランジ（２９）と該保持片（６）との隙間が大きくなると云う欠点となる状態を示したものである。
【００１５】
本発明の連続生産の製造工程の実施例を図９に基づいて説明すると、硬質合成樹脂を注入した第１押出し成形機（１６）より第１金型ダイス（１７）の内部を通過中に成形された断面略Ｕ字条の合成樹脂芯材（２）は、冷却槽（１８）を通過後、打ち抜き機（１９）によって必要に応じて各種形状の切除部（８）または切除部（７）等を同一間隔または不揃い間隔の間隔部（１３）（１３）に打ち抜き形成され、その後切除部付の合成樹脂芯材（２）は第２金型ダイス（２１）に進入し、第２押出し成形機（２０）に注入された軟質合成樹脂によって断面略Ｕ字条の外周と内周の一部に被覆体（３）を形成し、押出し成形時の熱と圧力と熱融着性により、該被覆体（３）は、該合成樹脂芯材（２）に熱融着すると共に、合成樹脂芯材（２）の一方の被覆体（３）を延長して内周押込部（５）を形成し、該内周押込部（５）の外側に突出した保持片（６）（６）を所望する形状、数量を一体的に押出し成形した後、冷却槽（３０）を経て送り出される。更に、他方の内周被覆体（２７）に保持片（６）を一体的に押出し成形する。
【００１６】
次に本発明が使用する材料を説明すると、断面略Ｕ字条の合成樹脂芯材（２）を形成する硬質合成樹脂としては、オレフィン系のポリプロピレン樹脂にタルクの粉体を混合して合成樹脂芯材（２）を形成する硬質合成樹脂の剛性、耐熱性を高め、線膨張係数を小さくする場合がある。
更に、被覆体（３）を形成するオレフィン系熱可塑性エラストマーとしては硬度９０以下（ＪＩＳ  Ｋ７２１５  Ａ硬度）のを使用する。
また、内周押込部（５）、圧接用の保持片（６）を形成する軟質合成樹脂も被覆体（３）と同じ材料を使用して一台の押出し成形機で製造する方法と、内周押込部（５）、保持片（６）（６）の所望される機能、品質により材料の硬度や種類を変える場合は、ニ台目、三台目の押出し成形機によって重合押出し成形することもある。
【００１７】
【発明の効果】
以上説明したように構成されている本発明によれば、従来の金属製芯材を使用した押出し成形と比較すると軽量化され、リサイクル性に優れる効果と、硬質合成樹脂の芯材を平板より断面略Ｕ字条に折り曲げる非常に難しい作業も不用になる。また本発明の押出し成形によれば、断面略Ｕ字条の合成樹脂芯材の厚みを必要に応じて変えられる効果と、必要に応じて各種形状の切除部を同一間隔または不揃いの間隔に間隔部をもうけることにより、自動車の三次元からなる車体にも取り付けることができる効果がある。
更に合成樹脂芯材を形成する硬質合成樹脂としては、オレフィン系のポリプロピレン樹脂にタルクの粉体を混合して、合成樹脂芯材の剛性、耐熱性を高め、線膨張係数を小さくする効果がある。そして、被覆体をオレフィン系熱可塑性エラストマーによって形成することで、被覆体と合成樹脂芯材は確実強固に熱融着することができ、被覆体は、合成樹脂芯材の外周と内周の一部を熱融着するだけで、合成樹脂芯材の全体を包み込む必要がないため、被覆体を一部節約できる効果もある。
また、成形品本体に被着した被覆体を延長しで内周押込部を形成し、内周押込部に保持片を形成したので、所望する保持片の大きさ、形状を自由に設けられ、成形品の車体開口部のフランジへの装着保持がきわめて確実強固に取り付けられる効果がある。
更に、本発明の保持片を設けた内周押入部を合成樹脂芯材の断面略Ｕ字条の内面部に接合延長したことによって、内周押込部の基部が強固に被着され、容易に分離することなく、安定して取着される効果がある。
また、圧接用の保持片を設けた内周押入部が挿入された相対向する合成樹脂芯材の内周面の内周被覆体の一部に保持片を一体的に形成したことにより、内周面に固定された押込み用の被覆鉢に設けた該保持片を大小自由に突設できるので、フランジの挿入する隙間を狭く自由に調整できると云う便利な効果がある。更に、断面略Ｕ字条の合成樹脂芯材の厚さを必要に応じて所定の部分を肉厚にすることにより、合成樹脂芯材は強靭化され、強度の必要な個所を強固に補強できると云う効果がある。
また、本発明の製造方法は合成樹脂芯材から成形品本体の製造を連続して行うので、歩留りの向上と価格も安く製造できるものである。
【図面の簡単な説明】
【図１】  本発明の断面略Ｕ字条の合成樹脂芯材の外周に被覆体と内周押込部を被着した成形品の断面図である。
【図２】  同じく本発明の内周押込部を合成樹脂芯材の内部に押込みされた状態の断面図である。
【図３】  本発明の合成樹脂芯材の斜面図である。
【図４】  同じく合成樹脂芯材に連続した切除部を設けた斜面図である。
【図５】  本発明の合成樹脂芯材に不連続な切除部を設けた斜面図である。
【図６】  同じく本発明の他の実施例を示す成形時の状態を示す断面図である。
【図７】  本発明の図６に示す成形品を使用した状態を示す断面図である。
【図８】  従来の技術の成形品本体を示し、内部の相対する保持片と保持片との間に広い隙間部が形成された断面図である。
【図９】  本発明の押出し成形品の製造工程を示す側面図である。
【符号の説明】
１            成形品本体
２            合成樹脂芯材
３            被覆体
４            下端部
５            内周押込部
６            保持片
７、８        切除部
１０、１１    連接部
１３          間隔部
１４          内面部
１６          第１押出し成形機
１７          第１金型ダイス
１８          冷却槽
１９          打ち抜き機
２０          第２押出し成形機
２１          第２金型ダイス
２５          先端部
２６          接合部
２７          内周被覆体（部）
２８          車体パネル
２９          フランジ
Ａ            狭い隙間部
Ｂ            広い隙間部
【図１】
0004019278.tif 000002
【図２】
0004019278.tif 000003
【図３】
0004019278.tif 000004
【図４】
0004019278.tif 000005
【図５】
0004019278.tif 000006
【図６】
0004019278.tif 000007
【図７】
0004019278.tif 000008
【図８】
0004019278.tif 000009
【図９】
0004019278.tif 000010